(57)【要約】【課題】見開き型ではなく、しかもインパクトに優れる立体化物品とする。【解決手段】起立片１３の一方の側端部１３Ｌに繋がり、かつ起立片１３の裏面１３ｂ側に積層された第１の基片１１と、起立片１３の他方の側端部１３Ｒに繋がり、かつ第１の基片１１の裏面１１ｂ側に積層された第２の基片１２と、を備える。そして、第１の基片１１及び第２の基片１２の一方を、起立片１３と繋がる側とは反対側へスライドさせると、起立片１３が第１の基片１１から浮き上がり起立することによって、立体構造になるように構成する。【選択図】図１
2008143019.tif 000002
【特許請求の範囲】
【請求項１】
基片とこれに積層された起立片とを有し、この起立片が起立することによって、立体構造になる立体化物品であって、
前記基片として、前記起立片の一方の側端部に繋がり、かつ前記起立片の裏面側に積層された第１の基片と、前記起立片の他方の側端部に繋がり、かつ前記第１の基片の裏面側に積層された第２の基片と、が備わり、
前記第１の基片及び前記第２の基片の少なくとも一方を、前記起立片と繋がる側とは反対側へスライドさせると、前記起立片が前記第１の基片から浮き上がって起立する構成とされている、ことを特徴とする立体化物品。
【請求項２】
前記起立片の他方の側端縁上又は前記第２の基片に第１のスリット孔が形成され、この第１のスリット孔を通して前記第１の基片の先端部が引き出されており、
前記第１の基片に第２のスリット孔が形成され、前記起立片の一方の側端縁上又は前記第１の基片に第３のスリット孔が形成され、前記第２のスリット孔を通して前記第１の基片の表面側に前記第２の基片が差し込まれ、この差し込まれた第２の基片の先端部が前記第３のスリット孔を通して引き出されており、
前記各基片の前記各スリット孔から引き出された部位を引くことで、前記スライドが行われる構成とされている、請求項１記載の立体化物品。
【請求項３】
前記起立片の表面側に接合された隠蔽部と、この隠蔽部の両側端部にそれぞれ繋がり、かつ前記隠蔽部の表面を観音開き状に覆う一対の扉部と、が備わる開封片を有し、
前記起立片の浮き上がりによって、前記隠蔽部が凸状に湾曲し、これに連動して前記一対の扉部が開く構成とされている、請求項１又は請求項２記載の立体化物品。
【請求項４】
前記隠蔽部に第１のスリット線が形成されて、この第１のスリット線で囲まれた部位が、前記隠蔽部の湾曲に連動して、他の部位から突出する構成とされている、請求項３記載の立体化物品。
【請求項５】
前記開封片に第２のスリット線が形成されて、この第２のスリット線で囲まれた部位が、前記一対の扉部が開くのに連動して、裏面側に突出して突片となるように構成されているとともに、
前記基片に第４のスリット孔が形成されて、
前記スライドが行われると、前記突片が前記第４のスリット孔に入り込み、前記基片がスライドした状態で保持される構成とされている、請求項３又は請求項４記載の立体化物品。
【請求項６】
基片とこれに積層された起立片とを有し、この起立片が起立することによって、立体構造になる立体化物品用のシートであって、
１のシートが、前記起立片となる起立片域と、この起立片域の一側方に隣接し前記起立片域の裏面側に折り重ねられて前記基片となる第１の基片域と、前記起立片域の他側方に隣接し前記第１の基片域の裏面側に折り重ねられて前記基片となる第２の基片域と、に区画され、
前記起立片域と前記第２の基片域との境界線上に、前記第１の基片域の先端部を通すスリット孔が形成され、
前記第１の基片及び前記第２の基片の少なくとも一方を、折り線とは反対側へスライドさせると、前記起立片が前記第１の基片から浮き上がって起立する構成とされている、ことを特徴とする立体化物品用シート。
【請求項７】
前記起立片の表面側に接合される隠蔽域と、この隠蔽域の両側方に隣接し、前記隠蔽域の表面側に観音開き状に折り重ねられる扉域と、に区画された第２のシートを有し、
前記起立片の浮き上がりによって、前記隠蔽域で形成された隠蔽部が凸状に湾曲し、これに連動して前記扉域で形成された扉部が開く構成とされている、請求項６記載の立体化物品用シート。
【請求項８】
基片とこれに積層された起立片とを有し、この起立片が起立することによって、立体構造になる立体化物品用のシートを製造する方法であって、
１のシートから、
前記起立片となる起立片域と、この起立片域の一方の側方に隣接し、前記起立片域の裏面側に折り重ねられ、前記基片となる第１の基片域と、前記起立片域の他方の側方に隣接し、前記第１の基片域の裏面側に折り重ねられ、前記基片となる第２の基片域と、に区画され、前記起立片域と前記第２の基片域との境界線上に、前記第１の基片域の先端部を通すスリット孔が形成され、前記第１の基片及び前記第２の基片の少なくとも一方を、折り線とは反対側へスライドさせると、前記起立片が前記第１の基片から浮き上がって起立するように構成された第１のシート、及び、
前記起立片の表面側に積層される隠蔽域と、この隠蔽域の両側方に隣接し、前記隠蔽域の表面側に観音開き状に折り重ねられる扉域と、に区画され、前記起立片が浮き上がると、前記隠蔽域で形成された隠蔽部が凸状に湾曲し、これに連動して前記一対の扉域で形成された扉部が開く構成とされた第２のシートを、切り出す、ことを特徴とする立体化物品用シートの製造方法。
【請求項９】
基片とこれに積層された起立片とを有し、この起立片が起立することによって、立体構造になる立体化物品の製造方法であって、
前記起立片となる起立片域と、この起立片域の一方の側方に隣接する第１の基片域と、前記起立片域の他方の側方に隣接する第２の基片域と、に区画され、前記起立片域と前記第２の基片域との境界線上にスリット孔が形成された、１のシートを用意し、
前記起立片域の裏面側に前記第１の基片域を折り重ね、この第１の基片域の裏面側に前記第２の基片域を折り重ね、前記スリット孔に前記第１の基片域の先端部を通して、
前記第１の基片域で構成される第１の基片及び前記第２の基片域で構成される第２の基片の少なくとも一方を、折り線とは反対側へスライドさせると、前記起立片が前記第１の基片から浮き上がって起立するようにする、ことを特徴とする立体化物品の製造方法。
【発明の詳細な説明】
【技術分野】
【０００１】
本発明は、基片とこれに積層された起立片とを有し、この起立片が起立することによって、立体構造になる立体化物品、立体化物品用シート、立体化物品用シートの製造方法及び立体化物品の製造方法に関するものである。
【背景技術】
【０００２】
従来、販売促進のために頒布されるパンフレット状の販促品としては、表面に販売促進のための各種情報が印刷されたタックシール型のものや、複数枚のシートが擬似接着（通常の状態では接着せずに所定の条件が付与されると剥離可能に接着）され、この擬似接着面に販売促進のための各種情報が印刷された擬似接着シート型のものがある。しかしながら、これらの販促品は、インパクトにかけるため、各種情報が読まれることなく、そのまま廃棄されてしまうことがある。
そこで、消費者にインパクトを与えるために、販促品を、いわゆる「飛び出す（ポップアップ）絵本」型とすることが考えられる。
この「飛び出す絵本」とは、ページを開くことで、動植物、建築物などのイラストや、文字（メッセージ）などが立体的に飛び出して見えるものである。この飛び出す絵本は、本やカードなどを構成する台紙（基片）に、この台紙とは別の紙（起立片）が接着されてできている。この台紙とは別の紙は、本やカードを閉じているときは平面状であり、本やカードを開いたときに起立して立体構造となる（立体化）。この飛び出す絵本は、子供向け雑誌などとしては、従来から用いられており、近年では、商品を陳列した際の陳列具などとしても、消費者にインパクトを与えるために用いられている、とされている（例えば、特許文献１、特許文献２参照。）。
しかしながら、「飛び出す絵本」型の販促品は、常に見開き型とする必要があるため、例えば、輸送、保管などの点で、不都合である。また、「飛び出す絵本」型の販促品は、飛び出す絵本自体が現在では動きを予測されてしまっているために、インパクトが十分なものとはならない。
【特許文献１】特開２００４‐１８７９４３号公報
【特許文献２】特開２０００‐５６６８４号公報
【発明の開示】
【発明が解決しようとする課題】
【０００３】
本発明が開示しようとする主たる課題は、見開き型ではなく、しかもインパクトに優れる立体化物品、立体化物品用シート、立体化物品用シートの製造方法及び立体化物品の製造方法を提供することにある。
【課題を解決するための手段】
【０００４】
この課題を解決した本発明は、次のとおりである。
〔請求項１記載の発明〕
基片とこれに積層された起立片とを有し、この起立片が起立することによって、立体構造になる立体化物品であって、
前記基片として、前記起立片の一方の側端部に繋がり、かつ前記起立片の裏面側に積層された第１の基片と、前記起立片の他方の側端部に繋がり、かつ前記第１の基片の裏面側に積層された第２の基片と、が備わり、
前記第１の基片及び前記第２の基片の少なくとも一方を、前記起立片と繋がる側とは反対側へスライドさせると、前記起立片が前記第１の基片から浮き上がって起立する構成とされている、ことを特徴とする立体化物品。
【０００５】
〔請求項２記載の発明〕
前記起立片の他方の側端縁上又は前記第２の基片に第１のスリット孔が形成され、この第１のスリット孔を通して前記第１の基片の先端部が引き出されており、
前記第１の基片に第２のスリット孔が形成され、前記起立片の一方の側端縁上又は前記第１の基片に第３のスリット孔が形成され、前記第２のスリット孔を通して前記第１の基片の表面側に前記第２の基片が差し込まれ、この差し込まれた第２の基片の先端部が前記第３のスリット孔を通して引き出されており、
前記各基片の前記各スリット孔から引き出された部位を引くことで、前記スライドが行われる構成とされている、請求項１記載の立体化物品。
【０００６】
〔請求項３記載の発明〕
前記起立片の表面側に接合された隠蔽部と、この隠蔽部の両側端部にそれぞれ繋がり、かつ前記隠蔽部の表面を観音開き状に覆う一対の扉部と、が備わる開封片を有し、
前記起立片の浮き上がりによって、前記隠蔽部が凸状に湾曲し、これに連動して前記一対の扉部が開く構成とされている、請求項１又は請求項２記載の立体化物品。
【０００７】
〔請求項４記載の発明〕
前記隠蔽部に第１のスリット線が形成されて、この第１のスリット線で囲まれた部位が、前記隠蔽部の湾曲に連動して、他の部位から突出する構成とされている、請求項３記載の立体化物品。
【０００８】
〔請求項５記載の発明〕
前記開封片に第２のスリット線が形成されて、この第２のスリット線で囲まれた部位が、前記一対の扉部が開くのに連動して、裏面側に突出して突片となるように構成されているとともに、
前記基片に第４のスリット孔が形成されて、
前記スライドが行われると、前記突片が前記第４のスリット孔に入り込み、前記基片がスライドした状態で保持される構成とされている、請求項３又は請求項４記載の立体化物品。
【０００９】
〔請求項６記載の発明〕
基片とこれに積層された起立片とを有し、この起立片が起立することによって、立体構造になる立体化物品用のシートであって、
１のシートが、前記起立片となる起立片域と、この起立片域の一側方に隣接し前記起立片域の裏面側に折り重ねられて前記基片となる第１の基片域と、前記起立片域の他側方に隣接し前記第１の基片域の裏面側に折り重ねられて前記基片となる第２の基片域と、に区画され、
前記起立片域と前記第２の基片域との境界線上に、前記第１の基片域の先端部を通すスリット孔が形成され、
前記第１の基片及び前記第２の基片の少なくとも一方を、折り線とは反対側へスライドさせると、前記起立片が前記第１の基片から浮き上がって起立する構成とされている、ことを特徴とする立体化物品用シート。
【００１０】
〔請求項７記載の発明〕
前記起立片の表面側に接合される隠蔽域と、この隠蔽域の両側方に隣接し、前記隠蔽域の表面側に観音開き状に折り重ねられる扉域と、に区画された第２のシートを有し、
前記起立片の浮き上がりによって、前記隠蔽域で形成された隠蔽部が凸状に湾曲し、これに連動して前記扉域で形成された扉部が開く構成とされている、請求項６記載の立体化物品用シート。
【００１１】
〔請求項８記載の発明〕
基片とこれに積層された起立片とを有し、この起立片が起立することによって、立体構造になる立体化物品用のシートを製造する方法であって、
１のシートから、
前記起立片となる起立片域と、この起立片域の一方の側方に隣接し、前記起立片域の裏面側に折り重ねられ、前記基片となる第１の基片域と、前記起立片域の他方の側方に隣接し、前記第１の基片域の裏面側に折り重ねられ、前記基片となる第２の基片域と、に区画され、前記起立片域と前記第２の基片域との境界線上に、前記第１の基片域の先端部を通すスリット孔が形成され、前記第１の基片及び前記第２の基片の少なくとも一方を、折り線とは反対側へスライドさせると、前記起立片が前記第１の基片から浮き上がって起立するように構成された第１のシート、及び、
前記起立片の表面側に積層される隠蔽域と、この隠蔽域の両側方に隣接し、前記隠蔽域の表面側に観音開き状に折り重ねられる扉域と、に区画され、前記起立片が浮き上がると、前記隠蔽域で形成された隠蔽部が凸状に湾曲し、これに連動して前記一対の扉域で形成された扉部が開く構成とされた第２のシートを、切り出す、ことを特徴とする立体化物品用シートの製造方法。
【００１２】
〔請求項９記載の発明〕
基片とこれに積層された起立片とを有し、この起立片が起立することによって、立体構造になる立体化物品の製造方法であって、
前記起立片となる起立片域と、この起立片域の一方の側方に隣接する第１の基片域と、前記起立片域の他方の側方に隣接する第２の基片域と、に区画され、前記起立片域と前記第２の基片域との境界線上にスリット孔が形成された、１のシートを用意し、
前記起立片域の裏面側に前記第１の基片域を折り重ね、この第１の基片域の裏面側に前記第２の基片域を折り重ね、前記スリット孔に前記第１の基片域の先端部を通して、
前記第１の基片域で構成される第１の基片及び前記第２の基片域で構成される第２の基片の少なくとも一方を、折り線とは反対側へスライドさせると、前記起立片が前記第１の基片から浮き上がって起立するようにする、ことを特徴とする立体化物品の製造方法。
【発明の効果】
【００１３】
本発明によると、見開き型ではなく、しかもインパクトに優れる立体化物品、立体化物品用シート、立体化物品用シートの製造方法及び立体化物品の製造方法となる。
【発明を実施するための最良の形態】
【００１４】
次に、本発明の実施の形態を説明する。
〔用途〕
本形態の立体化物品は、パンフレット状の販促品として利用すると、特に好適である。ただし、本形態の立体化物品の用途は、これに限定されるものではなく、例えば、書籍，雑誌，カタログの一部としてや、ちらし，カード類（例えば、バースデーカード、グリーティングカード、クリスマスカード、メッセージカード、年賀カードなど。）、電報台紙などとしても、利用することができる。
【００１５】
〔立体化物品〕
図１に示すように、本形態の立体化物品１は、基片（１１，１２）と、この基片（１１，１２）に積層された起立片１３とを有し、この起立片１３が、起立することによって、立体構造になる。そして、基片（１１，１２）としては、起立片１３の一方の側端部、図示例では一方の側端縁１３Ｌに、例えば、２枚の部材が接合され、あるいは図示例のように１枚の部材が折られるなどして繋がり、かつ起立片１３の裏面１３ｂ側に積層された第１の基片１１と、起立片１３の他方の側端部、図示例では他方の側端縁１３Ｒに、例えば、２枚の部材が接合され、あるいは図示例のように１枚の部材が折られるなどして繋がり、かつ第１の基片１１の裏面１１ｂ側に積層された第２の基片１２と、が備わる。これにより、図２に示すように、第１の基片１１及び第２の基片１２の少なくとも一方、好ましくは両方を、起立片１３と繋がる側（第１の基片１１については一方の側端縁１３Ｌ側、第２の基片１２については他方の側端縁１３Ｒ側）とは反対側へスライドさせると、起立片１３が第１の基片１１から浮き上がって起立する。したがって、本形態によると、見開き型ではなく、しかも従来の「飛び出す絵本」などとは立体化する仕組みが異なるためインパクトに優れる立体化物品となる。
【００１６】
また、より好ましい形態である本形態の立体化物品１は、起立片１３の他方の側端縁１３Ｒ上又は第２の基片１２に、図示例では他方の側端縁１３Ｒ上に、第１のスリット孔Ｓ１が形成されている。そして、この第１のスリット孔Ｓ１を通して、第１の基片１１の先端部が、図示例では指などで摘むことができる摘み片１１Ｔを有する先端部が、引き出されている。また、本形態の立体化物品１は、第１の基片１１に第２のスリット孔Ｓ２が形成され、起立片１３の一方の側端縁１３Ｌ上又は第１の基片１１に、図示例では一方の側端縁１３Ｌ上に、第３のスリット孔Ｓ３が形成されている。そして、図１に示すように、第２のスリット孔Ｓ２を通して第１の基片１１の表面１１ａ側に第２の基片１２が差し込まれ、この差し込まれた第２の基片１２の先端部が、図示例では指などで摘むことができる摘み片１２Ｔを有する先端部が、第３のスリット孔Ｓ３を通して引き出されている。これにより、各基片１１，１２の各スリット孔Ｓ１，Ｓ３から引き出された部位を、好ましくは摘み片１１Ｔ，１２Ｔを引くことで、前記スライドが行われる。したがって、本形態の立体化物品１は、立体化するに容易なものとなる。
【００１７】
さらに、本形態の立体化物品１は、起立片１３の表面１３ａ側に接合された隠蔽部２１と、この隠蔽部２１の両側端部に、図示例では両側端縁２１Ｌ，２１Ｒにそれぞれ、例えば、２枚の部材が接合され、あるいは図示例のように１枚の部材が折られるなどして繋がり、かつ隠蔽部２１の表面２１ａを観音開き状に覆う一対の扉部２２，２３と、が備わる開封片（２０）を有する。これにより、図２及び図３に示すように、前述したような起立片１３の浮き上がりによって、隠蔽部２１が凸状に湾曲し、これに連動して一対の扉部２２，２３が開くことになる。したがって、例えば、隠蔽部２１の表面２１ａに、販売促進のための各種情報などを印刷しておけば、立体化物品１の立体化にともなって、この情報が現れることになり、消費者などに対するインパクトが増す。
【００１８】
さらに、本形態では、隠蔽部２１に適宜形状の第１のスリット線Ｌ１，Ｌ１が形成されて（図６参照）、この第１のスリット線Ｌ１，Ｌ１で囲まれた部位２１Ｘ，２１Ｘが、隠蔽部２１の湾曲に連動して、他の部位２１Ｙ，２１Ｙから突出する構成とされている。これにより、立体構造がより複雑なものとなるため、消費者などに対するインパクトが増す。また、他の部位２１Ｙ，２１Ｙから突出するスリット線Ｌ１，Ｌ１で囲まれた部位２１Ｘ，２１Ｘは、図２から明らかなように、平面状になるため、この部位２１Ｘ，２１Ｘに印刷された各種情報が、より読み易いものとなる。
【００１９】
さらに、本形態の立体化物品１は、開封片（１０）に、図示例では隠蔽部２１の両側端縁２１Ｌ，２１Ｒ上のほぼ中央部に、コ字状の第２のスリット線Ｌ２，Ｌ２が形成されている（図６参照）。この第２のスリット線Ｌ２，Ｌ２で囲まれた部位２１Ｚ，２１Ｚは、図２に示すように、一対の扉部２２，２３が開くのに連動して、裏面２１ｂ側に突出して突片２４，２４となるように構成されている。加えて、基片には、図示例では第１の基片１１及び第２の基片１２には、第４のスリット孔Ｓ４，Ｓ４が形成されている（図４参照）。そして、基片１１，１２のスライドが行われると、突片２４，２４が第４のスリット孔Ｓ４，Ｓ４に入り込むようになっている。したがって、本形態の立体化物品１によると、基片１１，１２がスライドした状態で保持され、立体構造が維持される。もちろん、第４のスリット孔Ｓ４，Ｓ４に入り込んだ突片２４，２４を外すことで、元の平面構造に戻すこともできる。
【００２０】
〔立体化物品用シート〕
次に、以上の立体化物品１を形成するために用いる、例えば、紙、フィルム、合成紙、金属箔などからなる立体化物品用シートについて、説明する。
本形態の立体化物品用シートは、図４及び図５の（１）に示すような、１のシート１０を有する。このシート１０は、横長のほぼ長方形状とされており、両側端縁中央部には、後述する半円状の摘み片１１Ｔ，１２Ｔが設けられている。そして、このシート１０は、起立片１３となるほぼ正方形状の起立片域１３′と、この起立片域１３′の一側方に隣接し起立片域１３′の裏面１３ｂ′側に折り重ねられて第１の基片１１となる（図５の（２）参照）側方がやや幅狭（紙面上下方向に狭い）なほぼ長方形状の第１の基片域１１′と、起立片域１３′の他側方に隣接し第１の基片域１１′の裏面１１ｂ′側に折り重ねられて第２の基片１２となる（図５の（２）参照）側方がやや幅狭（紙面上下方向に狭い）なほぼ長方形状の第２の基片域１２′と、に区画されている。そして、起立片域１３′と第２の基片域１２′との境界線１３Ｒ上のほぼ中央部に、第１の基片域１１′の先端部を、図示例では指などで摘むことができる摘み片１１Ｔを有する先端部を通す直線状のスリット孔Ｓ１が形成され、第１の基片１１及び第２の基片１２の少なくとも一方を、好ましくは両方を、折り線（第１の基片１１については境界線１３Ｌ、第２の基片１２については境界線１３Ｒ）とは反対側へスライドさせると、起立片１３が第１の基片１１から浮き上がって起立する構成とされている。したがって、本形態の立体化物品用シートを用いれば、前述した立体化物品１を、容易に製造することができる。
【００２１】
また、特に、本形態では、図４に示すように、第１の基片域１１′に直線状の第２のスリット孔Ｓ２が形成され、起立片域１３′と第１の基片域１１′との境界線１３Ｌ上のほぼ中央部に第２のスリット孔Ｓ２と平行に直線状の第３のスリット孔Ｓ３が形成されている。そして、第２のスリット孔Ｓ２を通して第１の基片域１１′の表面１１ａ′側に第２の基片域１２′が差し込まれ、この差し込まれた第２の基片域１２′の先端部が、図示例では指などで摘むことができる摘み片１２Ｔを有する先端部が、第３のスリット孔Ｓ３を通して引き出される構成とされている。これにより、各基片１１，１２の各スリット孔Ｓ１，Ｓ２から引き出された部位、好ましくは摘み片１１Ｔ，１２Ｔを引くことで、前記スライドを行うことができる。したがって、本形態の立体化物品用シートを用いれば、立体化容易な立体化物品１を、容易に製造することができる。
【００２２】
さらに、好ましい形態として、本形態の立体化物品用シートは、前述第１のシート１０のほかに、図６及び図７に示すように、起立片１３の表面１３ａ側（図１参照）に接合されるほぼ正方形状の隠蔽域２１′と、この隠蔽域２１′の両側方に隣接し、隠蔽域２１′の表面２１ａ′側に観音開き状に折り重ねられるほぼ長方形状の扉域２２′，２３′と、に区画された第２のシート２０を有する。これにより、起立片１３の浮き上がりによって、隠蔽域２１′で形成された隠蔽部２１が凸状に湾曲し、これに連動して扉域２２′，２３′で形成された扉部２２，２３が開くことになる（図２参照）。したがって、本形態の立体化物品用シートを用いれば、前述したインパクトに優れる立体化物品１を、容易に製造することができる。
【００２３】
〔立体化物品用シートの製造方法〕
本形態において、以上の立体化物品用シートを得る（製造する）方法は、特に限定されない。ただし、例えば、紙、フィルム、合成紙、金属箔などからなる１枚又は積層された複数枚のシートでできた１のシートから、前述した第１のシート１０及び第２のシートを切り出すことにより、立体化物品用シートを製造するのが好ましい。この製造形態によると、立体化物品用シートを得るについて、極めて簡易である。
【００２４】
〔立体化物品の製造方法〕
本形態において、以上の立体化物品用シートから前述した立体化物品１を得る（製造する）方法は、特に限定されない。ただし、まず、第１のシート１０を用意し、起立片域１３′の裏面１３ｂ′側に第１の基片域１１′を折り重ね、この第１の基片域１１′の裏面１１ｂ′側に第２の基片域１２′を折り重ね、第１のスリット孔Ｓ１に第１の基片域１１′の先端部を、図示例では指などで摘むことができる摘み片１１Ｔを有する先端部を通すことにより、立体化物品１を製造するのが好ましい。
また、特に、本形態では、その後、第２のスリット孔Ｓ２を通して第１の基片域１１′の表面１１ａ′側に第２の基片域１２′を差し込み、この差し込んだ第２の基片域１２′の先端部を、図示例では指などで摘むことができる摘み片１２Ｔを有する先端部を、第３のスリット孔Ｓ３を通して引き出す。そして、開封片を有する本形態の立体化物品１を製造するにあたっては、第２のシート２０を用意し、適宜の時期に、例えば、以上の折り重ねに先立って、あるいは折り重ねと同時に、あるいは折り重ねに次いで、隠蔽域２１′を、その裏面２１ｂ′が起立片１３の表面１３ａに当接するように、接合する。
【００２５】
〔その他〕
（１）本形態において、例えば、起立片１３と隠蔽部２１との接合などの各接合の方法は、特に限定されない。例えば、天然ゴム系、合成ゴム系の接着剤等によって接着することや粘着テープによって粘着することにより、接合することなどができる。
（２）本形態において、例えば、基片１１，１２や起立片１３等の各片の形状は、特に限定されない。例えば、以上で説明したような方形状のほか、円形状、多角形状、ランダム形状などとすることもできる。
（３）同様に、スリット線Ｌ１，Ｌ１の形状も、特に限定されない。例えば、図示例のようなランダム形状のほか、円弧状、コ字状などとすることもできる。
（４）本形態においては、図６中に拡大して示すように、隠蔽域２１′に扉域２２′，２３′を折り重ねるに際して、扉域２２′，２３′の先端部を、それぞれスリット線Ｌ３，Ｌ３から隠蔽域２１′の裏面側に差し込んでおけば、起立に先立って扉部２２，２３が開いてしまうのを防止することができる。
【産業上の利用可能性】
【００２６】
本発明は、販促用の立体化物品、立体化物品用シート、立体化物品用シートの製造方法及び立体化物品の製造方法として、適用可能である。
【図面の簡単な説明】
【００２７】
【図１】立体化（起立）前における立体化物品の正面図である。
【図２】立体化（起立）後における立体化物品の正面図である。
【図３】立体化（起立）後における立体化物品の平面図である。
【図４】第１のシートの平面図である。
【図５】第１のシートの正面図である。
【図６】第２のシートの平面図である。
【図７】第２のシートの正面図である。
【符号の説明】
【００２８】
１…立体化物品、１１，１２…基片、１１Ｔ，１２Ｔ…摘み片、１３…起立片、２１…隠蔽部、２２，２３…扉部、Ｌ１，Ｌ２…スリット線、Ｓ１〜４…スリット孔。
【図１】
2008143019.tif 000003
【図２】
2008143019.tif 000004
【図３】
2008143019.tif 000005
【図４】
2008143019.tif 000006
【図５】
2008143019.tif 000007
【図６】
2008143019.tif 000008
【図７】
2008143019.tif 000009